(57)【要約】  【課題】  電池の電圧が低下しても電気機器を出来るだけ操作することが可能なリモートコントローラを提供する。  【解決手段】  電池２の電圧が低下して、電圧検出回路７は例えば電池電圧が２．７Ｖ未満２．５Ｖ以上であることを検出すると、スイッチ制御回路８はスイッチ回路１２のスイッチＢをオンさせる。これにより、第２のコイルｂに電流が流れてコイルｂの周囲に磁界が発生し、ソレノイドＳの磁性片５が第２の位置に設定されて、ＬＥＤ３がリモコンケースから突出し、赤外線信号の指向性が良くなり、操作対象である電気機器に赤外線信号が到達し易くなり、したがって、電池電圧がある程度下がっても電気機器を操作することが可能になる。【選択図】      図１
2006180129.tif 000002
【特許請求の範囲】
【請求項１】
電池により駆動し、赤外線発光素子からの赤外線信号により電気機器を遠隔操作するリ
モートコントローラにおいて、一端に前記赤外線発光素子の背面が固定されると共に他端
に磁性物質の磁性片が固定される棒状の可動軸と、第１のコイルと第２のコイルと第３の
コイルが前記磁性片から前記赤外線発光素子の背面に向かって所定間隔を置いて順次巻回
された中空円筒状のボビンとから構成されるソレノイドと、前記第１のコイルと前記第２
のコイルと前記第３のコイルに対して電流をそれぞれオン／オフするスイッチ回路と、前
記電池の電圧の低下を高い順から第１の電圧段階幅と第２の電圧段階幅と第３の電圧段階
幅で検出する電圧検出回路と、前記第１，第２，第３の電圧段階幅の電圧をそれぞれ検出
したとき前記スイッチ回路を制御して前記第１，第２，第３のコイルにそれぞれ電流を流
して前記磁性片を第１，第２，第３の位置に設定し所定時間経過後に前記スイッチ回路を
制御してコイル電流を遮断するスイッチ制御回路とを備えたことを特徴とするリモートコ
ントローラ。
【請求項２】
電池により駆動し、赤外線発光素子からの赤外線信号により電気機器を遠隔操作するリ
モートコントローラにおいて、前記赤外線発光素子がソレノイドにより前後方向に動くよ
うに構成し、前記電池の電圧が低下すると、電圧の低下に応じてソレノイドが駆動して、
前記赤外線発光素子を前方に動かすように構成したことを特徴とするリモートコントロー
ラ。
【請求項３】
前記ソレノイドは、一端に前記赤外線発光素子の背面が固定されると共に他端に磁性物
質の磁性片が固定される棒状の可動軸と、複数のコイルが前記磁性片から前記赤外線発光
素子の背面に向かって所定間隔を置いて順次巻回された中空円筒状のボビンとから構成さ
れることを特徴とする請求項２に記載のリモートコントローラ。
【請求項４】
前記電池の電圧が低下すると、電圧の低下に応じてソレノイドが駆動して、前記赤外線
発光素子を前方に動かすようにした構成として、複数のコイルに対してコイル電流をそれ
ぞれオン／オフするスイッチ回路と、前記電池の電圧の低下を高い順から複数の電圧段階
幅で検出する電圧検出回路と、前記複数の電圧段階幅の電圧をそれぞれ検出したとき前記
スイッチ回路を制御して前記複数のコイルにそれぞれ電流を流して前記磁性片を第１，第
２，第３の位置に設定し所定時間経過後に前記スイッチ回路を制御してコイル電流を遮断
するスイッチ制御回路とを備えたことを特徴とする請求項２に記載のリモートコントロー
ラ。
【請求項５】
前記複数のコイルは、第１のコイルと第２のコイルと第３のコイルから構成され、前記
複数の電圧段階幅は、前記電池の電圧の低下を高い順から設定された第１の電圧段階幅と
第２の電圧段階幅と第３の電圧段階幅であることを特徴とする請求項２に記載のリモート
コントローラ。
【発明の詳細な説明】
【技術分野】
【０００１】
本発明は、電池により駆動し、赤外線発光素子からの赤外線信号により電気機器を遠隔
操作するリモートコントローラに関する。
【背景技術】
【０００２】
従来からテレビジョン受像機、空調機、オーディオ機器、ビデオ機器、その他の電気機
器を遠隔操作するのにリモートコントローラが用いられている。このようなリモートコン
トローラは、電池により駆動し、操作キーを押下して赤外線発光素子から出射される赤外
線信号を電気機器の受光部に入射させることにより、電気機器を電源オンまたは電源オフ
したり、その他、各種の操作を行うことができるようになっている。
【０００３】
図５は従来のリモートコントローラにおける基板を示す概略平面図である。図５におい
て、５４は図示しないリモコンケースに収納される基板を示し、この基板５４上に、リモ
コンＩＣ５１や電池５２などが設けられている。基板５４の先端部には赤外線発光素子と
してのＬＥＤ５３が設けられている。また、図示しないが基板５４上には複数のキーがマ
トリクス状に配置されたキーマトリクス基板が設けられる。リモコンＩＣ５１は、キーか
らの信号を受け、キーに対応する処理を行うもので、キーを操作したときＬＥＤ５３を駆
動させたりする。電池５２は、例えば単三電池２個を示し、通常３Ｖ電圧をリモコンＩＣ
５１に供給するものである。
【０００４】
ところで、このような従来のリモコンコントローラにおいて、電池５２が消耗して電池
電圧が３Ｖからある電圧まで下がると、ＬＥＤ５３から出射される赤外線信号の光量が低
下して電気機器の受光部に到達しにくくなり、電気機器を操作することができなくなる場
合がある。
【０００５】
また、例えば、テレビジョン受像機を遠隔操作するために用いられている従来のリモー
トコントローラとして、特許文献１に示されるようなリモートコマンダが知られている。
このリモートコマンダは、複数個の送信用赤外線発光素子を有し、これら複数個の送信用
赤外線発光素子を所定位置に配したブロック部を設け、該ブロック部を必要に応じて突出
させ、リモートコマンダの左方、前方、右方に向けて赤外線が出射できるように構成され
ている。
【特許文献１】特開昭６０−７９８５５号公報
【発明の開示】
【発明が解決しようとする課題】
【０００６】
しかしながら、特許文献１の従来技術は、ブロック部を必要に応じて突出させ、リモー
トコマンダの左方、前方、右方に向けて赤外線が出射できるように構成されているが、電
池が消耗して電池電圧が下がると、送信用赤外線発光素子から出射される赤外線信号の光
量が低下して電気機器の受光部に到達しにくくなり、電気機器を操作できなくなるような
ことに対する対策は施されていない。
【０００７】
本発明は、上記のような課題を解決するためになされたもので、電池の電圧がある程度
低下しても電気機器を出来るだけ操作することが可能なリモートコントローラを提供する
ことを目的とする。
【課題を解決するための手段】
【０００８】
上記目的を達成するために、請求項１の発明は、電池により駆動し、赤外線発光素子か
らの赤外線信号により電気機器を遠隔操作するリモートコントローラにおいて、一端に前
記赤外線発光素子の背面が固定されると共に他端に磁性物質の磁性片が固定される棒状の
可動軸と、第１のコイルと第２のコイルと第３のコイルが前記磁性片から前記赤外線発光
素子の背面に向かって所定間隔を置いて順次巻回された中空円筒状のボビンとから構成さ
れるソレノイドと、前記第１のコイルと前記第２のコイルと前記第３のコイルに対して電
流をそれぞれオン／オフするスイッチ回路と、前記電池の電圧の低下を高い順から第１の
電圧段階幅と第２の電圧段階幅と第３の電圧段階幅で検出する電圧検出回路と、前記第１
，第２，第３の電圧段階幅の電圧をそれぞれ検出したとき前記スイッチ回路を制御して前
記第１，第２，第３のコイルにそれぞれ電流を流して前記磁性片を第１，第２，第３の位
置に設定し所定時間経過後に前記スイッチ回路を制御してコイル電流を遮断するスイッチ
制御回路とを備えたことを特徴とするリモートコントローラを提供する。
【０００９】
この構成において、電池の電圧が本来の電圧であるとき、第１のコイルの磁気吸引力に
より赤外線発光素子が第１の位置（基準位置）に設定される。ここで、電池の電圧が低下
して第１の電圧段階幅の電圧から第２の電圧段階幅の電圧に移ったとき、電圧検出回路は
、電池が第２の電圧段階幅に低下したことを検出し、これにより、スイッチ制御回路は、
スイッチ回路を制御して第２のコイルに電流を流し、ソレノイドの可動軸を外方向に動か
し、磁性片を第２の位置に設定し、赤外線発光素子をリモコンケースから突出させる。更
に、電池の電圧が低下して第２の電圧段階幅の電圧から第３の電圧段階幅の電圧に移った
とき、電圧検出回路は、電池が第３の電圧段階幅に低下したことを検出し、これによりス
イッチ制御回路は、スイッチ回路を制御して第３のコイルに電流を流し、ソレノイドの可
動軸を外方向に動かし、磁性片を第３の位置に設定し、赤外線発光素子を更にリモコンケ
ースから突出させる。
【００１０】
この構成によれば、電池が消耗して電池電圧が下がると、赤外線発光素子がリモコンケ
ースから突出するので、赤外線信号の指向性が良くなり、操作対象である電気機器に赤外
線信号が到達し易くなり、したがって、電池電圧がある程度下がっても電気機器を操作す
ることが可能になり、また、電池電圧が下がると、赤外線発光素子がリモコンケースから
突出するので、電池を交換した方が良いことが分り、ユーザにとっては便利である。
【００１１】
請求項２の発明は、電池により駆動し、赤外線発光素子からの赤外線信号により電気機
器を遠隔操作するリモートコントローラにおいて、前記赤外線発光素子がソレノイドによ
り前後方向に動くように構成し、前記電池の電圧が低下すると、電圧の低下に応じてソレ
ノイドが駆動して、前記赤外線発光素子を前方に動かすように構成したことを特徴とする
リモートコントローラを提供する。
【００１２】
この構成において、電池の電圧が低下すると、電圧の低下に応じてソレノイドが駆動し
て、赤外線発光素子が前方に動く。したがって、この構成によれば、電池電圧がある程度
下がっても電気機器を操作することが可能になり、また、電池電圧が下がると、赤外線発
光素子がリモコンケースから突出するので、電池を交換した方が良いことが分り、ユーザ
にとっては便利である。
【００１３】
請求項３の発明では、請求項２の発明において、前記ソレノイドは、一端に赤外線発光
素子の背面が固定されると共に他端に磁性物質の磁性片が固定される棒状の可動軸と、複
数のコイルが前記磁性片から前記赤外線発光素子の背面に向かって所定間隔を置いて順次
巻回された中空円筒状のボビンとから構成されるので、当該コイルに電流を流すと、当該
コイルの位置まで磁性片が動き、これにより、赤外線発光素子が前方に動く。
【００１４】
請求項４の発明では、請求項２の発明において、前記電池の電圧が低下すると、電圧の
低下に応じてソレノイドが駆動して、前記赤外線発光素子を前方に動かすようにした構成
として、複数のコイルに対して電流をそれぞれオン／オフするスイッチ回路と、前記電池
の電圧の低下を高い順から複数の電圧段階幅で検出する電圧検出回路と、前記複数の電圧
段階幅の電圧をそれぞれ検出したとき前記スイッチ回路を制御して前記複数のコイルにそ
れぞれ電流を流して前記磁性片を第１，第２，第３の位置に設定し所定時間経過後に前記
スイッチ回路を制御してコイル電流を遮断するスイッチ制御回路とを備えたので、前記電
圧検出回路が前記電池の電圧が低下すると、前記スイッチ制御回路は前記スイッチ回路を
制御して当該コイルに電流を流すことができ、これにより、前記ソレノイドが駆動して前
記赤外線発光素子を前方に動かすことができるようになる。
【００１５】
請求項５の発明では、請求項２の発明において、前記複数のコイルは、第１のコイルと
第２のコイルと第３のコイルから構成され、前記複数の電圧段階幅は、前記電池の電圧の
低下を高い順から設定された第１の電圧段階幅と第２の電圧段階幅と第３の電圧段階幅で
あるので、３個の電圧段階幅の電池電圧の低下に応じて赤外線発光素子を３箇所に位置設
定することが可能になる。
【発明の効果】
【００１６】
以上のように本発明によれば、一端に赤外線発光素子の背面が固定されると共に他端に
磁性物質の磁性片が固定される棒状の可動軸と、第１のコイルと第２のコイルと第３のコ
イルが前記磁性片から前記赤外線発光素子の背面に向かって所定間隔を置いて順次巻回さ
れた中空円筒状のボビンとから構成されるソレノイドと、前記第１のコイルと前記第２の
コイルと前記第３のコイルに対して電流をそれぞれオン／オフするスイッチ回路と、電池
の電圧の低下を高い順から第１の電圧段階幅と第２の電圧段階幅と第３の電圧段階幅で検
出する電圧検出回路と、前記第１，第２，第３の電圧段階幅の電圧をそれぞれ検出したと
き前記スイッチ回路を制御して前記第１，第２，第３のコイルにそれぞれ電流を流して前
記磁性片を第１，第２，第３の位置に設定し所定時間経過後に前記スイッチ回路を制御し
てコイル電流を遮断するスイッチ制御回路とを備えたので、電池が消耗して電池電圧が下
がると、赤外線発光素子がリモコンケースから突出し、これにより、赤外線信号の指向性
が良くなり、操作対象である電気機器に赤外線信号が到達し易くなり、特にリモートコン
トローラを部屋の壁などに固定して操作する場合でも、電気機器に赤外線信号が到達し易
くなり、したがって、電池電圧がある程度下がっても電気機器を操作することが可能にな
り、また、電池電圧が下がると、赤外線発光素子がリモコンケースから突出するので、電
池を交換した方が良いことが分り、ユーザにとっては便利である。
【００１７】
また、本発明によれば、赤外線発光素子がソレノイドにより前後方向に動くように構成
し、電池の電圧が低下すると、電圧の低下に応じてソレノイドが駆動して、前記赤外線発
光素子を前方に動かすように構成したので、電池が消耗して電池電圧が下がると、赤外線
発光素子がリモコンケースから突出し、これにより、赤外線信号の指向性が良くなり、操
作対象である電気機器に赤外線信号が到達し易くなり、特にリモートコントローラを部屋
の壁などに固定して操作する場合でも、電気機器に赤外線信号が到達し易くなり、したが
って、電池電圧がある程度下がっても電気機器を操作することが可能になり、また、電池
電圧が下がると、赤外線発光素子がリモコンケースから突出するので、電池を交換した方
が良いことが分り、ユーザにとっては便利である。
【発明を実施するための最良の形態】
【００１８】
以下、添付図面を参照しつつ、本発明の実施の形態について説明する。図１は本発明の
一実施形態に係るリモートコントローラの構成を示すブロック図である。
【００１９】
このリモートコントローラは、電池２により駆動し、赤外線発光素子としてのＬＥＤ３
からの赤外線信号により電気機器を遠隔操作するものであり、一端にＬＥＤ３の背面が固
定されると共に他端に鉄や鋼などの磁性物質の磁性片５が固定される棒状の可動軸４と、
第１のコイルａと第２のコイルｂと第３のコイルｃが磁性片５からＬＥＤ３の背面に向か
って所定間隔を置いて順次巻回された中空円筒状のボビン６とから構成されるソレノイド
Ｓと、第１のコイルａと第２のコイルｂと第３のコイルｃに対して電流をそれぞれオン／
オフするスイッチ回路１２と、電池２の電圧の低下を高い順から第１の電圧段階幅と第２
の電圧段階幅と第３の電圧段階幅で検出する電圧検出回路７と、前記第１，第２，第３の
電圧段階幅の電圧をそれぞれ検出したときスイッチ回路１２を制御して第１，第２，第３
のコイルａ，ｂ，ｃにそれぞれ電流を流して磁性片５を第１，第２，第３の位置に設定し
所定時間経過後にスイッチ回路１２を制御してコイル電流を遮断するスイッチ制御回路８
と、ＬＥＤ３へのリード線１０，１１が接続されＬＥＤ３を駆動させるＬＥＤ駆動回路９
とを備えている。
【００２０】
リモコンＩＣ１には、電源検出回路７、スイッチ制御回路８、およびＬＥＤ駆動回路９
などが備えられている。スイッチ回路１２は、第１のコイルａに電流を流したり遮断した
りするスイッチＡと、第２のコイルｂに電流を流したり遮断したりするスイッチＢと、第
２のコイルｃに電流を流したり遮断したりするスイッチＣとを有する。
【００２１】
なお、スイッチ回路１２としては、図４に示すような、トランジスタ１３，１４，１５
および抵抗１６，１７，１８により実現することも可能である。例えば、第２のコイルｂ
に電流を流す場合、スイッチ制御回路８からハイレベルの駆動信号を抵抗１７を介してト
ランジスタ１４のベースに与えると、トランジスタ１４がオンし、これにより第２のコイ
ルｂに電流が流れることになる。
【００２２】
図２は、本実施形態において、電池電圧の低下によりＬＥＤ３が前方に移動する様子を
説明するためのリモートコントローラの基板２１の概略平面図である。図２（ａ）は電池
電圧が例えば３．０Ｖ以下２．７Ｖ以上である場合のＬＥＤ３の位置を示し、図２（ｂ）
は電池電圧が例えば２．７Ｖ未満２．５Ｖ以上である場合のＬＥＤ３の位置（例えば基板
２１から５ｃｍ突出した位置）を示す。また、図２（ｃ）は電池電圧が例えば２．５Ｖ未
満である場合のＬＥＤ３の位置（例えば基板２１から１０ｃｍ突出した位置）を示す。
【００２３】
図３は本実施形態において電圧検出回路７およびスイッチ制御回路８の動作を説明する
ためのフローチャートである。このフローチャートを参照して電圧検出回路７およびスイ
ッチ制御回路８の動作について説明する。
【００２４】
電圧検出回路７は、電池２の電圧の低下を高い順から第１の電圧段階幅（３．０Ｖ以下
２．７Ｖ以上）と第２の電圧段階幅（２．７Ｖ未満２．５Ｖ以上）と第３の電圧段階幅（
２．５Ｖ未満）で電池電圧を検出する（ステップＳ１）。ここで、電池電圧が２．５Ｖ未
満でも電圧検出回路７が検出動作を行うためには、リモコンＩＣ１自体が２．５Ｖ未満の
電圧が電源電圧として与えられても動作できるという前提条件が必要で、ここでは、その
電源電圧が例えば２．０Ｖまでは動作可能であるとする。
【００２５】
そして、電圧検出回路７は、第１の電圧段階幅（３．０Ｖ以下２．７Ｖ以上）と第２の
電圧段階幅（２．７Ｖ未満２．５Ｖ以上）と第３の電圧段階幅（２．５Ｖ未満）を検出す
るためには、基準電圧２．７Ｖと基準電圧２．５Ｖが必要となる。これらの基準電圧は、
電池電圧が変動しても一定でなければならないので、電池電圧が２．５Ｖ未満になっても
、２．７Ｖの基準電圧と２．５Ｖの基準電圧を得るには、２．５Ｖ未満になった電圧をス
イッチング電源回路などにより昇圧する必要がある。また、デジタル的に基準電圧を得る
場合は、電池電圧をアナログ／デジタル変換した電池電圧デジタル値と、基準電圧２．７
Ｖと基準電圧２．５Ｖを同じくアナログ／デジタル変換して予め記憶しておいた基準電圧
デジタル値とを比較することにより、電圧検出回路７は、第１の電圧段階幅（３．０Ｖ以
下２．７Ｖ以上）と第２の電圧段階幅（２．７Ｖ未満２．５Ｖ以上）と第３の電圧段階幅
（２．５Ｖ未満）を検出することが可能になる。
【００２６】
このような動作により、電圧検出回路７は、電池電圧が３．０Ｖ以下２．７Ｖ以上であ
ることを検出すると（ステップＳ２）、スイッチ制御回路８は、スイッチ回路１２のスイ
ッチＡをオンさせる（ステップＳ３）。これにより、第１のコイルａに電流が流れてコイ
ルａの周囲に磁界が発生し、ソレノイドＳの磁性片５が図２（ａ）に示すような第１の位
置（基準位置）に設定される。そして、所定時間経過後（例えば１秒）、スイッチ制御回
路８はスイッチＡをオフさせる（ステップＳ４）。所定時間経過後（例えば１秒）にスイ
ッチＡをオフさせることにより、電池２の無駄な消費を抑えることができる。なお、通常
は、ＬＥＤ３は図２（ａ）に示すような位置にあるので、ステップＳ３においてスイッチ
Ａをオンしても、ソレノイドＳの磁性片５は第１の位置（基準位置）にあり、磁性片５は
動くことがない。
【００２７】
次に、電池２の電圧が低下して、電圧検出回路７は、電池電圧が２．７Ｖ未満２．５Ｖ
以上であることを検出すると（ステップＳ５）、スイッチ制御回路８は、スイッチ回路１
２のスイッチＢをオンさせる（ステップＳ６）。これにより、第２のコイルｂに電流が流
れてコイルｂの周囲に磁界が発生し、ソレノイドＳの磁性片５が図２（ｂ）に示すような
第２の位置に設定される。そして、所定時間経過後（例えば１秒）、スイッチ制御回路８
はスイッチＢをオフさせる（ステップＳ７）。この場合も、所定時間経過後（例えば１秒
）にスイッチＢをオフさせることにより、電池２の無駄な消費を抑えることができる。
【００２８】
更に、電池２の電圧が低下して、電圧検出回路７は、電池電圧が２．５Ｖ未満であるこ
とを検出すると（ステップＳ８）、スイッチ制御回路８は、スイッチ回路１２のスイッチ
Ｃをオンさせる（ステップＳ９）。これにより、第３のコイルｃに電流が流れてコイルｃ
の周囲に磁界が発生し、ソレノイドＳの磁性片５が図２（ｃ）に示すような第３の位置に
設定される。そして、所定時間経過後（例えば１秒）、スイッチ制御回路８はスイッチＣ
をオフさせる（ステップＳ１０）。この場合も、所定時間経過後（例えば１秒）にスイッ
チＣをオフさせることにより、電池２の無駄な消費を抑えることができる。
【００２９】
ユーザは、ＬＥＤ３がリモコンケースから突出しているのを見て、電池２を新しい電池
に交換した場合、電圧検出回路７は、その電池電圧が３．０Ｖ以下２．７Ｖ以上であるこ
とを検出し、これにより、スイッチ制御回路８は、先ずスイッチＢをオンして第２のコイ
ルｂに電流を流し、磁性片５を図１から見て左方に移動させ、スイッチＢをオフした後、
更にスイッチＡをオンして第１のコイルａに電流を流し、磁性片５を更に左方に移動させ
て基準位置に設定し、スイッチＡをオフする。この結果、ＬＥＤ３は図２（ａ）に示すよ
うな元の位置に設定される。新しい電池に交換した後、ユーザがＬＥＤ３を手で押してリ
モコンケース内部に引っ込めるようにしても良い。
【００３０】
なお、上記実施形態では、ソレノイドＳにおいて、可動軸４をコイル磁界により軸方向
に移動させるのに、鉄や鋼などの磁性物質の磁性片５を用いたが、磁性片５の替わりに永
久磁石を用いることも考えられるが、永久磁石の場合は、コイルａ，ｂ，ｃの永久磁石の
移動に伴って磁力線の方向を変えて行く必要があり、要するにリニアモータの原理で永久
磁石を移動させなければならないので、コイルａ，ｂ，ｃの電流方向を切り換える回路を
必要とし、上記実施形態に比べて回路構成が複雑化する傾向にある。
【００３１】
以上説明したように本実施形態によれば、電池２が消耗して電池電圧が下がると、ＬＥ
Ｄ３がリモコンケースから突出し、これにより、赤外線信号の指向性が良くなり、操作対
象である電気機器に赤外線信号が到達し易くなり、特にリモートコントローラを部屋の壁
などに固定して操作する場合でも、電気機器に赤外線信号が到達し易くなり、したがって
、電池電圧がある程度下がっても電気機器を操作することが可能になり、また、電池電圧
が下がると、ＬＥＤ３がリモコンケースから突出するので、電池２を交換した方が良いこ
とが分り、ユーザにとっては便利である。
【図面の簡単な説明】
【００３２】
【図１】本発明の一実施形態に係るリモートコントローラの構成を示すブロック図である。
【図２】前記実施形態において電池電圧の低下によりＬＥＤが前方に移動する様子を説明するためのリモートコントローラの基板の概略平面図である。
【図３】前記実施形態において電圧検出回路およびスイッチ制御回路の動作を説明するためのフローチャートである。
【図４】前記実施形態におけるスイッチ回路がトランジスタで構成された場合のスイッチ回路の回路図である。
【図５】従来のリモートコントローラにおける基板を示す概略平面図である。
【符号の説明】
【００３３】
２    電池
３    ＬＥＤ（赤外線発光素子）
４    可動軸
５    磁性片
６    ボビン
７    電圧検出回路
８    スイッチ制御回路
１２    スイッチ回路
Ａ，Ｂ，Ｃ    スイッチ
Ｓ    ソレノイド
【図１】
2006180129.tif 000003
【図２】
2006180129.tif 000004
【図３】
2006180129.tif 000005
【図４】
2006180129.tif 000006
【図５】
2006180129.tif 000007